(57)【要約】  【課題】  被写体を撮影する撮影空間を自動的に開状態又は閉状態にすることができる写真自動販売機などを提供する。  【解決手段】  写真自動販売機１００は、撮影が終了した後に、サイドカーテン４２を巻き取り、すなわちサイドカーテン４２を上昇させて撮影空間３を開状態にする。また、撮影をする前であって、対価の受領を監視している監視状態のときに開状態を保持する（図３（ａ））。一方、写真自動販売機１００は、対価を受領し、正規の撮影プレイを開始する際に、サイドカーテン４２を繰り出し、すなわちサイドカーテン４２を降下させて、撮影空間３を閉状態にする（図３（ｂ））。【選択図】        図３
2005091937.tif 000002
【特許請求の範囲】
【請求項１】
被写体を撮影する撮影手段と、該撮影手段で被写体を撮影する撮影空間を遮蔽する遮蔽手段と、前記撮影手段により撮影した被写体の画像を画像形成媒体に出力する出力手段とを備える写真自動販売機であって、
前記遮蔽手段により撮影空間を開状態又は閉状態に制御する制御手段を備えることを特徴とする写真自動販売機。
【請求項２】
前記撮影手段による撮影をする前であり、対価の受領を監視している監視状態のとき、前記制御手段は、前記遮蔽手段により撮影空間を開状態に保つようにすることを特徴とする請求項１に記載の写真自動販売機。
【請求項３】
対価を受領する対価受領手段を更に備え、該対価受領手段が対価を受領した後に、前記制御手段は、前記遮蔽手段により撮影空間を閉状態にすることを特徴とする請求項１又は請求項２に記載の写真自動販売機。
【請求項４】
前記撮影手段による撮影中に、前記制御手段は、前記遮蔽手段により撮影空間を開閉可能にすることを特徴とする請求項１乃至請求項３のいずれかに記載の写真自動販売機。
【請求項５】
前記撮影手段による撮影が終了した後に、前記制御手段は、前記遮蔽手段により撮影空間を開状態にすることを特徴とする請求項１乃至請求項４のいずれかに記載の写真自動販売機。
【請求項６】
前記遮蔽手段を複数の位置に設置可能であることを特徴とする請求項１乃至請求項５のいずれかに記載の写真自動販売機。
【請求項７】
前記遮蔽手段を格納する格納手段を更に備えることを特徴とする請求項１乃至請求項６のいずれかに記載の写真自動販売機。
【請求項８】
前記遮蔽手段は、撮影空間が使用されていることを案内する案内手段を更に備えることを特徴とする請求項１乃至請求項７のいずれかに記載の写真自動販売機。
【請求項９】
前記遮蔽手段は、該遮蔽手段の撮影空間側に撮影効果を得るための撮影効果手段を更に備えることを特徴とする請求項１乃至請求項８のいずれかに記載の写真自動販売機。
【請求項１０】
前記遮蔽手段の動作を設定する設定手段を更に備え、
前記制御手段は、前記設定手段で設定した内容に基づいて前記遮蔽手段の動作を制御することを特徴とする請求項１乃至請求項９のいずれかに記載の写真自動販売機。
【請求項１１】
前記遮蔽手段の状態又は動作を報知する報知手段を更に備えることを特徴とする請求項１乃至請求項１０のいずれかに記載の写真自動販売機。
【請求項１２】
被写体を撮影する撮影手段と、該撮影手段で被写体を撮影する撮影空間を遮蔽する遮蔽手段と、前記撮影手段により撮影した被写体の画像を画像形成媒体に出力する出力手段とを備える写真自動販売機の写真自動販売方法であって、
前記遮蔽手段により撮影空間を開状態又は閉状態にすることを特徴とする写真自動販売方法。
【請求項１３】
被写体を撮影する撮影手段と、該撮影手段で被写体を撮影する撮影空間を遮蔽する遮蔽手段と、前記撮影手段により撮影した被写体の画像を画像形成媒体に出力する出力手段とを備える写真自動販売機を制御するコンピュータプログラムであって、
前記遮蔽手段へ制御信号を送信することによって、前記撮影空間を開状態又は閉状態にする手順を含むことを特徴とするコンピュータプログラム。
【請求項１４】
請求項１乃至請求項１１のいずれかに記載の写真自動販売機にて生成されることを特徴とする画像形成媒体。
【発明の詳細な説明】
【技術分野】
【０００１】
本発明は、使用者を含む被写体を撮影し、撮影した被写体の画像をシール紙等の画像形成媒体に出力する写真自動販売機及び写真自動販売方法、写真自動販売機を制御するためのコンピュータプログラム、並びに写真自動販売機に用いられる画像形成媒体に関する。
【背景技術】
【０００２】
近年、ゲームセンター等において、被写体を撮影し、撮影した画像をシールプリント等の画像形成媒体に出力する写真自動販売機が数多く設置されている。このような写真自動販売機は、一般に、カメラ等により使用者を含む被写体を撮影し、撮影した画像を使用者に編集させ、編集された画像をプリンタにより出力し、シールプリントとして提供するものである。
【０００３】
このような写真自動販売機は、装置に設けたフラッシュ等の光が外に洩れるのを防止するとともに、使用者のプライバシーを確保するために、撮影空間の入り口にサイドカーテンを、撮影効果のために被写体の背景となる位置に背景カーテンをそれぞれ備えている。背景カーテンは手動式のものを用いるのが一般的であるが、近年では使用者の選択により自動で動作する自動式のカーテン又はロールスクリーン等を備えた写真自動販売機も実用化されている。一方、サイドカーテンは、常時閉じられているか、又は手動式のものを用いるのが一般的である。
【０００４】
また、一部が半透明のカーテンを写真自動販売機の側面側に設けることにより、プライベートな空間の確保と、防犯のための監視という要求に答えるサイドカーテンが開示されている（例えば、特許文献１参照。）。
【特許文献１】特開２００２−３１８４２１号公報
【発明の開示】
【発明が解決しようとする課題】
【０００５】
ところで、写真自動販売機に設けたサイドカーテンが手動式である場合には、前の使用者が、プレイ終了後にサイドカーテンをきちんと開けて、撮影空間を開いた状態にしてくれるとは限らず、使用者がプレイをしていない場合であっても閉状態になっている虞があり、内部の様子がどのようになっているか分かりにくく確認することが困難である。従って、現在撮影しているか否かを調べる目的でサイドカーテンの中を覗いて、内部で撮影している使用者（先客）との間でトラブルが生じる虞があった。そこで、わざわざ管理者（店員など）が定期的に巡回してサイドカーテンの状態をチェックする必要があった。
【０００６】
また、シール紙等に出力された写真の美しさの度合いは、顧客の満足度を決定する重要な要素、すなわち写真自動販売機を使用する判断基準のひとつであり、写真自動販売機は、被写体を美しく撮影できるように、高輝度の照明装置を備えているのが一般的である。従って、写真自動販売機の照明光を不正に使用し、カメラ付き携帯電話機などを用いて撮影するなど、正規のプレイを行なわない人間が撮影空間内に入って写真自動販売機を占拠し、本来の顧客がプレイできずに顧客回転率が低下するという問題があった。これは、装置の使用の有無に関係なく容易にサイドカーテンの開閉ができることに起因する。一旦サイドカーテンが閉じられてしまうと、撮影空間に人がいるのか否かを確認することは、困難である。また、撮影空間にいる人が本来の顧客であるのか否かを確認することは、より困難である。
【０００７】
さらに、サイドカーテンがスライド式である場合には、サイドカーテンをスライドさせて入り口が開いた状態（開状態）にしたときに、サイドカーテンが嵩張るために、余分な空間がとられるとともに、見た目の印象が悪いという問題があった。
【０００８】
さらにまた、内部に他の使用者がいるかどうかなど、内部の使用状況がどのようになっているかを報知するために、撮影中であることを報知する使用状況報知表示板を設けている写真自動販売機もあるが、表示が小さいなど、一目ではわかりづらいという問題があった。
【０００９】
上述した問題がありながらも、サイドカーテンは、撮影時における遮光の機能を担うとともに、撮影時における使用者のプライバシーを確保するため、必須の構成要素であり、取り外すことはできないという事情があった。
【００１０】
また、前述した特許文献１のように、たとえ一部が半透明であるカーテンを設けたとしても、撮影中であるか否かを判断することは困難であり、また撮影空間にいる人が本来の顧客であるか否かを見分けることは極めて困難である。
【００１１】
本発明は斯かる事情に鑑みてなされたものであり、被写体を撮影する撮影空間を遮蔽する遮蔽手段によって撮影空間を開状態又は閉状態に制御することにより、自動的に撮影空間を開状態にして撮影空間の内部が外から見えるように、又は撮影空間を閉状態にして撮影空間の内部が外から見えないようにすることができる写真自動販売機の提供を目的とする。
【００１２】
また本発明は、そのような写真自動販売機における写真自動販売方法、そのような写真自動販売機としての機能をコンピュータで実現するためのコンピュータプログラム、及びそのような写真自動販売機に用いられる画像形成媒体の提供を目的とする。
【課題を解決するための手段】
【００１３】
本発明に係る写真自動販売機は、被写体を撮影する撮影手段と、該撮影手段で被写体を撮影する撮影空間を遮蔽する遮蔽手段と、前記撮影手段により撮影した被写体の画像を画像形成媒体に出力する出力手段とを備える写真自動販売機であって、前記遮蔽手段により撮影空間を開状態又は閉状態に制御する制御手段を備えることを特徴とする。
【００１４】
本発明に係る写真自動販売機にあっては、被写体を撮影する撮影空間を制御手段によって開状態又は閉状態に制御する。必要なタイミングで自動的に撮影空間を開状態又は閉状態にすることができるため、使用者や店舗の店員の手を煩わすことがない。
【００１５】
本発明に係る写真自動販売機は、前記撮影手段による撮影をする前であり、対価の受領を監視している監視状態のとき、前記制御手段は、前記遮蔽手段により撮影空間を開状態に保つようにすることを特徴とする。
【００１６】
本発明に係る写真自動販売機にあっては、撮影手段による撮影をする前であって、対価の受領を監視している監視状態のときに、制御手段によって撮影空間を開状態に保つようにする。よって、撮影空間の内部が外から見えるようになるため、撮影空間の様子が外から容易に認識できるとともに、次の使用者が撮影空間に入りやすい。
【００１７】
本発明に係る写真自動販売機は、対価を受領する対価受領手段を更に備え、該対価受領手段が対価を受領した後に、前記制御手段は、前記遮蔽手段により撮影空間を閉状態にすることを特徴とする。
【００１８】
本発明に係る写真自動販売機にあっては、対価を受領する対価受領手段が対価を受領した後に、制御手段によって撮影空間を閉状態にする。よって、撮影空間の内部が外から見えないようにして、使用者のプライバシーを確保することができる。換言すれば、対価を支払わない人間が撮影空間に入って、撮影空間を閉状態にすることを防止し、写真自動販売機が占拠される事態を抑制することができる。
【００１９】
本発明に係る写真自動販売機は、前記撮影手段による撮影中に、前記制御手段は、前記遮蔽手段により撮影空間を開閉可能にすることを特徴とする。
【００２０】
本発明に係る写真自動販売機にあっては、撮影手段による撮影中に、制御手段によって撮影空間を開閉可能にする。よって、写真自動販売機の使用者が自己の意思により撮影空間を閉状態にして撮影空間の内部が外から見えないようにし、自己のプライバシーを確保することができる。また、緊急の事態が生じた場合など、使用者が自己の意思により撮影空間を開状態にすることができるため、使用者が写真自動販売機の中に閉じ込められてしまうのを防止することができ安全である。
【００２１】
本発明に係る写真自動販売機は、前記撮影手段による撮影が終了した後に、前記制御手段は、前記遮蔽手段により撮影空間を開状態にすることを特徴とする。
【００２２】
本発明に係る写真自動販売機にあっては、撮影手段による撮影が終了した後に、制御手段によって撮影空間を開状態にする。よって、撮影を終えた使用者が撮影空間から出やすい。また、撮影空間の内部が外から見えるようになるため、撮影空間の様子が外から容易に認識できるとともに、次の使用者が撮影空間に入りやすい。
【００２３】
本発明に係る写真自動販売機は、前記遮蔽手段を複数の位置に設置可能であることを特徴とする。
【００２４】
本発明に係る写真自動販売機にあっては、遮蔽手段が複数の位置に設置可能であるため、店舗の設置場所の状況に応じて、遮蔽手段が不要な場合は取り外したり、あるいは開閉する面のいずれかに、制御しない手動式の遮蔽手段を用いることにより、余分な費用がかからない。また、店舗の状況にあわせた設定を可能とし、空間を有効的に活用することができる。
【００２５】
本発明に係る写真自動販売機は、前記遮蔽手段を格納する格納手段を更に備えることを特徴とする。
【００２６】
本発明に係る写真自動販売機にあっては、遮蔽手段を格納手段によって格納する。よって、遮蔽手段が嵩張ることなく、見た目もすっきりし、印象を向上させることができる。
【００２７】
本発明に係る写真自動販売機は、前記遮蔽手段は、撮影空間が使用されていることを案内する案内手段を更に備えることを特徴とする。
【００２８】
本発明に係る写真自動販売機にあっては、撮影空間が使用されていることを案内手段によって案内する。よって、従来の使用状況報知表示板（例えば「撮影中」ランプ）よりも、撮影中か使用中か否かを周囲にわかりやすく案内することができるため、撮影空間が使用されていることが外から容易に認識できる。また、ランプを使用することによるコストを削減できる。
【００２９】
本発明に係る写真自動販売機は、前記遮蔽手段は、該遮蔽手段の撮影空間側に撮影効果を得るための撮影効果手段を更に備えることを特徴とする。
【００３０】
本発明に係る写真自動販売機にあっては、遮蔽手段の撮影空間側に撮影効果を得るための撮影効果手段を備えることにより、その撮影効果が効果的に反映された被写体の画像を画像形成媒体に出力することができる。
【００３１】
本発明に係る写真自動販売機は、前記遮蔽手段の動作を設定する設定手段を更に備え、前記制御手段は、前記設定手段で設定した内容に基づいて前記遮蔽手段の動作を制御することを特徴とする。
【００３２】
本発明に係る写真自動販売機にあっては、遮蔽手段の動作を設定手段によって設定し、それに基づいて制御手段が遮蔽手段の動作を制御する。よって、遮蔽手段の動作を設定することで、管理者（設置者）の意図を反映して、写真自動販売機を設置する場所などの店舗事情に合わせやすい。
【００３３】
本発明に係る写真自動販売機は、前記遮蔽手段の状態又は動作を報知する報知手段を更に備えることを特徴とする。
【００３４】
本発明に係る写真自動販売機にあっては、遮蔽手段の状態又は動作を報知手段によって報知する。よって、周囲の人は遮蔽手段の状態がわかりやすくなり、遮蔽手段が動作する
場合に安全である。
【００３５】
本発明に係る写真自動販売方法は、被写体を撮影する撮影手段と、該撮影手段で被写体を撮影する撮影空間を遮蔽する遮蔽手段と、前記撮影手段により撮影した被写体の画像を画像形成媒体に出力する出力手段とを備える写真自動販売機の写真自動販売方法であって、前記遮蔽手段により撮影空間を開状態又は閉状態にすることを特徴とする。
【００３６】
本発明に係る写真自動販売方法にあっては、被写体を撮影する撮影空間を制御手段によって開状態又は閉状態に制御する。必要なタイミングで自動的に撮影空間を開状態又は閉状態にすることができるため、使用者や店舗の店員の手を煩わすことがない。
【００３７】
本発明に係るコンピュータプログラムは、被写体を撮影する撮影手段と、該撮影手段で被写体を撮影する撮影空間を遮蔽する遮蔽手段と、前記撮影手段により撮影した被写体の画像を画像形成媒体に出力する出力手段とを備える写真自動販売機を制御するコンピュータプログラムであって、前記遮蔽手段へ制御信号を送信することによって、前記撮影空間を開状態又は閉状態にする手順を含むことを特徴とする。
【００３８】
本発明に係るコンピュータプログラムは、遮蔽手段へ制御信号を送信することによって、撮影空間を開状態又は閉状態にする手順を含むことにより、このコンピュータプログラムを汎用コンピュータに読み込ませて（インストールして）、これらの処理を実現することができる。よって、必要なタイミングで自動的に撮影空間を開状態又は閉状態にすることができるため、使用者や店舗の店員の手を煩わすことがない。
【００３９】
本発明に係る画像形成媒体は、上述したいずれかの写真自動販売機にて生成されることを特徴とする。
【００４０】
本発明に係る画像形成媒体にあっては、上述したいずれかの写真自動販売機にて、撮影効果のある画像形成媒体を生成することができる。
【発明の効果】
【００４１】
本発明によれば、被写体を撮影する撮影空間を制御手段によって開状態又は閉状態に制御することにより、自動的に撮影空間を開状態又は閉状態にすることができるため、使用者や店舗の店員の手を煩わすことがない。
【００４２】
また本発明によれば、制御手段によって撮影空間を開状態にすることにより、撮影空間の内部が外から見えるようになるため、撮影空間の様子が外から容易に認識できる。従って、撮影空間に人がいる場合であっても、その人が本来の顧客であるのか否かを容易に確認することができるため、不使用者（不当者）が撮影空間を占拠して本来の使用者（顧客）がプレイできずに顧客回転率が低下する事態を防止できとともに、管理者が定期的に巡回してチェックする必要もなくなる。また、遮蔽手段が開状態になっているため、次の使用者が撮影空間に入りやすくなる。更に、撮影空間の様子（雰囲気）が外から容易に分かるため、宣伝効果を向上することができる。
【００４３】
さらに本発明によれば、制御手段によって撮影空間を閉状態にすることにより、撮影空間の内部が外から見えないようにして、使用者のプライバシーを確保するとともに、撮影空間が使用されていることが外から容易に分かるようにすることができる。従って、撮影しているか否かを調べる目的で撮影空間の内部を覗いて、撮影している使用者（先客）との間でトラブルが生じる虞がなくなる。
【００４４】
さらにまた本発明によれば、制御手段によって撮影空間を開閉可能にすることにより、写真自動販売機の使用者が自己の意思により撮影空間を閉状態にして撮影空間の内部が外部から見えないようにし、自己のプライバシーを確保することができるとともに、使用者が自己の意思により撮影空間を開状態にすることができる。従って、緊急の事態が生じた場合などには、使用者は遮蔽手段を容易に開状態にできるため、安全を確保することができる等、優れた効果を奏する。
【発明を実施するための最良の形態】
【００４５】
以下、本発明をその実施の形態を示す図面に基づいて詳述する。
【００４６】
図１は本発明に係る写真自動販売機の一例を示す斜視図、図２は同背面図である。本発明に係る写真自動販売機１００は、大別して、被写体の撮影操作を行なう撮影部１００ａと、撮影された画像の編集操作を行なう編集部１００ｂとで構成される。編集操作とは、撮影された画像を編集処理する操作であり、使用者６が、タッチペンによる文字の入力、並びに、背景画像、スタンプ画像及びフレーム画像など画像の入力を行なって、使用者６が所望する画像に編集する操作（「落書き」,「お絵描き」などと呼ばれる）のことである。
【００４７】
撮影部１００ａは、後述する撮影側コンピュータ装置１０１a及び撮影側制御部１０２a等の各種機器を収めた撮影側筐体１と、背面カーテン５と、フレーム材及びパネルとから構成される。撮影側筐体１の右側面,左側面の上部には、巻取装置４１ａ，４１ｂ（以下、区別が不要な場合には巻取装置４１とすることもある）と、巻取装置４１ａ，４１ｂに取り付けられたサイドカーテン４２ａ，４２ｂ（以下、区別が不要な場合にはサイドカーテン４２とすることもある）と、巻取装置４１ａ，４１ｂを駆動するモータ４３ａ，４３ｂ（以下、区別が不要な場合にはモータ４３とすることもある）とが配設されている。
【００４８】
巻取装置４１は、その回転軸がモータ４３によって回転されることにより、サイドカーテン４２を巻き取り、巻き取ることによってサイドカーテン４２を格納するための装置である。サイドカーテン４２が巻取装置４１によって繰り出されると、サイドカーテン４２自体の自重によりサイドカーテン４２の先端が降下し、撮影側筐体１、パネル、及びサイドカーテン４２により囲まれたプライベートな空間が生じ、生じた空間が、まさしく被写体を撮影する撮影空間３となる。つまり、サイドカーテン４２は巻取装置４１によって撮影空間３を遮蔽する遮蔽手段として機能し、巻取装置４１はサイドカーテン４２（遮蔽手段）を格納する格納手段として機能する。また、モータ４３は、遮蔽手段であるサイドカーテン４２を動作させる駆動手段として機能する。
【００４９】
撮影空間３を形成するパネルの撮影空間３内部の面には、白色、黒色、又は青色などの色彩が施されており、この色彩によって撮影効果を得ることができる。例えば、照明光を反射させて間接光を得たい場合は白色、逆に照明光を吸収させたい場合は黒色、クロマキー合成を行ないたい場合は青色にすればよく、パネルの色は、どのような撮影を行なうかによって、設計開発の際に適宜選択される。また、パネルは、布又はビニール材等で代替することもでき、その場合には、たるみなく張られた状態でフレーム材に固定すればよい。
【００５０】
背景カーテン５は、撮影時における被写体の背景として用いられるものであり、その色又は柄によって被写体に及ぼす印象が変わるため、色又は柄の異なる複数の背景カーテンを用意しておくことが好ましい。このようにすれば、使用者６が所望する背景カーテンを適宜選択し、背景の色調をかえることによって、所望する写真撮影を行なうことができる。また、それぞれの背景カーテンに対する撮影効果を使用者６自身で見出すなどの撮影における遊びの要素ともなり得る。
【００５１】
背景カーテン５としては、鉛直方向に巻き上げるロール式、横方向にスライドするスライド式等があるが、そのセット方法は、使用者６によって手動でセットされてもよいし、後述するタッチパネルディスプレイ２２などを操作することによって自動でセットされるようにしてもよい。もちろん、背景カーテン５が備えられていなくても構わない。
【００５２】
一方、編集部１００ｂは、後述する各種機器を収めた編集側筐体２と、カーテン４４と、フレーム材及びパネルとから構成されており、撮影側筐体２、パネル、及びカーテン４４により囲まれたプライベートな空間は、被写体が画像の編集操作を行なうための編集空間４である。本形態では、カーテン４４が常に懸架されている例を示したが、撮影側のサイドカーテン４２と同様に、編集プレイ開始時にカーテン４４を閉状態にし、編集プレイ終了後にカーテン４４を開状態にしてもよい。
【００５３】
このような写真自動販売機１００において、被写体たる使用者６は撮影空間３に入り、撮影側筐体１に対向した位置に立って撮影プレイを行なう。そして、撮影プレイが終了すると、使用者６は編集空間４へ移動し、撮影した画像の編集プレイを行なう。撮影及び編集の一連のプレイによって得られた画像はシールなどの画像形成媒体に出力され、使用者６に提供される。なお、被写体が使用者６自身であるものとして説明するが、被写体は１人であってもよいし、複数人であってもよい。もちろん、被写体は人物に限定されるものではなく、その他の物体であってもよいことは言うまでもない。
【００５４】
図３はサイドカーテンの状態を示す状態図であり、同図（ａ）はサイドカーテンの上昇が完了している状態を示し、同図（ｂ）はサイドカーテンの降下が完了している状態を示す。写真自動販売機１００は、撮影が終了した後に、サイドカーテン４２を巻き取り、すなわちサイドカーテン４２を上昇させて撮影空間３を開状態にする。また、撮影をする前であって、対価の受領を監視している監視状態のときに開状態を保持する（図３（ａ））。もちろん、使用者６から対価を受領したか否かに基づいて撮影空間３が使用されているか否かを判定し、撮影空間３が使用されていないと判定した場合に、撮影空間３を開状態にするようにしてもよい。なお、サイドカーテン４２を巻き取るタイミングとしては、これに限定されるものではないことはいうまでもない。また、本例のように、撮影空間３と編集空間４とが異なる場合は、撮影プレイが終了した場合にサイドカーテン４２を巻き取るようにするが、撮影空間３と編集空間４とが共用される場合は、撮影プレイが終了し、更に編集プレイが終了した場合にサイドカーテン４２を巻き取るようにすればよい。更に、一連のプレイが終了した後、次の使用者の対価を受領するまでは、撮影空間３は、開状態のままで動作できないようにロックされることが好ましい。
【００５５】
このように、撮影が終了し、対価の受領を監視している監視状態のときには、撮影空間３が開状態になっているので、使用者６は撮影空間３に容易に出入りすることができるとともに、撮影空間３が外から丸見えの状態であるため、第３者（順番待ちしている使用予定者,通行人など）は撮影空間３が使用されていないことを容易に識別することができる。
【００５６】
また、写真自動販売機１００の管理者（設置者）は、撮影空間３に入り込んでいる人間が、撮影目的で入り込んでいるのか否かを容易に識別することができるため、撮影目的以外で入り込んでいる人間に対して注意することができる。さらに、撮影空間３を外から見えるようにすることにより、通行人などに、撮影空間３をアピールして集客することができる。さらにまた、サイドカーテン４２は巻取装置４１に収納されており、嵩張ることは全くないため、場所がとられることはなく、また見た目の印象も良い。
【００５７】
一方、写真自動販売機１００は、対価を受領し、正規の撮影プレイを開始する際に、サイドカーテン４２を繰り出し、すなわちサイドカーテン４２を降下させて、撮影空間３を閉状態にする（図３（ｂ））。もちろん、前述したように撮影空間３が使用されているか否かを判定し、撮影空間３が使用されていると判定した場合に、撮影空間３を開状態にするようにしてもよい。なお、サイドカーテン４２を繰り出すタイミングとしては、これに限定されるものではないことはいうまでもない。
【００５８】
このように、撮影空間３が使用されている場合（撮影プレイ中）は、撮影空間３が閉状態になっているので、撮影空間３をプライベートな空間にすることができるとともに、照明光が外へ洩れるのを防止することができる。従って、第３者は撮影空間３内の様子を全く視認することができないので、使用者６のプライバシーを確保することができる。
【００５９】
また、図３（ｂ）に示すように、サイドカーテン４２の外側の面には、撮影プレイ中であることが容易に認識できる文字、図、絵柄などが印刷（例えば、「撮影中」，「○○中（○○には写真自動販売機の商品名などが入る）」など）されており、撮影空間３が使用されていることを案内する案内手段として機能する。従って、第３者は、撮影空間３が使用者６によって使用されていることを容易に識別することができ、第３者が、サイドカーテン４２をめくって撮影空間３を覗いたり、誤って撮影空間３へ入り込むようなトラブルを防止することができる。なお、写真自動販売機１００の商品名、ロゴなどをサイドカーテン４２に印刷して写真自動販売機１００をアピールしたり、サイドカーテン４２に写真自動販売機１００の操作方法を印刷して、順番待ちしている使用予定者に操作方法を事前に案内するようにしてもよい。もちろん、案内表示板を設置し、使用者が撮影プレイをしている場合には、その案内表示板を点灯することにより撮影中であることを周囲に案内するようにしてもよい。
【００６０】
また、サイドカーテン４２の内側（撮影空間３側）の面には、前述したパネルと同様に、照明光を反射させて間接光を得たい場合は白色、逆に照明光を吸収させたい場合は黒色、クロマキー合成を行ないたい場合は青色などの色彩が施されたり、又はサイドカーテン自体が反射板、ホログラム、ミラーなどの素材でできていたりしてもよく、このようにすることにより効果的な撮影ができ、本発明に係る撮影効果手段として機能する。サイドカーテン４２の内側面の色は、前述したパネルと同様に、どのような撮影を行なうかによって、設計開発時に適宜選択される。
【００６１】
図４は撮影側筐体の外観を示す斜視図である。撮影側筐体１の正面には、常光灯である蛍光灯、閃光灯であるフラッシュなどを内蔵し、被写体である使用者６に対して照明を行なうための照明部１８ａ，１８ｂ，１８c（以下、区別が不要な場合には照明部１８とすることもある）が備えられている。
【００６２】
照明部１８ａは、斜め上、前方から使用者６に集光できるように、使用者６に対して凹状の形状を有しており、照明部１８ａの略中央には、斜め上、前方から使用者６を撮影するカメラ２１ａと、撮影されている画像（動画データ）をリアルタイムで表示するライブモニタ２４ａ，２４ｂと、このカメラ２１ａによって撮影されているか否かを報知するパイロットランプ２５ａとが配設されている。
【００６３】
照明部１８ｂは、前方から使用者６に照射するものであり、照明部１８ｂの略中央には、前方から使用者６を撮影するカメラ２１ｂと、撮影されている画像をリアルタイムで表示するライブモニタ２４ｃ，２４ｄと、このカメラ２１ｂによって撮影されているか否かを報知するパイロットランプ２５ｂと、デモンストレーション画面（以下、デモ画面），プレイ内容（コース）の選択などの選択肢を表示するとともに、使用者６が指などで表示領域に触れることにより、使用者６からの操作を受け付けるタッチパネルディスプレイ２２とが配設されている。タッチパネルディスプレイ２２は、表示を行なう単なるディスプレイであってもよく、その場合は操作ボタンを別途設けて使用者６からの操作を受け付けるようにすればよい。
【００６４】
このように、カメラ２１ａ，２１ｂ（以下、区別が不要な場合にはカメラ２１とすることもある）によって撮影されている画像はリアルタイムにライブモニタ２４ａ，２４ｂ，２４ｃ，２４ｄ（以下、区別が不要な場合にはライブモニタ２４とすることもある）に表示されるため、使用者６は撮影されている画像を確認しながらポーズをとって撮影を行なうことができる。カメラ２１は、例えばデジタルカメラであり、デジタルカメラで設定できる項目（例えば、シャッタスピード、絞り値、露出補正、ホワイトバランスなど）の変更及び撮影タイミングは、撮影側コンピュータ装置１０１aから指示される。ライブモニタ２４ａ，２４ｂ,２４ｃ，２４ｄは液晶ディスプレイであり、ライブモニタ２４ａ，２４ｂをカメラ２１ａの左右に、ライブモニタ２４ｃ，２４ｄをカメラ２１ｂの左右に、それぞれ設けたのは、使用者６がカメラの左右どちらにいる場合でも、正面に位置するライブモニタを見るようにすれば、液晶ディスプレイの視野角特性による悪影響を受けなくするためである。
【００６５】
照明部１８ｃは、斜め下、前方から使用者６に照射するものであり、この照明部１８ｃ上に使用者６が荷物等を置かないように、傾斜がつけてある。
【００６６】
また、撮影側筐体１の正面下方には、デモンストレーション音声（以下、デモ音声）,ＢＧＭ,操作方法などの案内を音声出力する撮影側スピーカ２３ａ，２３ｂと、対価である硬貨（コイン）を投入するためのコイン投入口２６と、投入されたコインを排出するコイン返却口２７と、撮影側筐体１内部のメンテナンスなどを行なうためのフロントドア２８とが備えられている。
【００６７】
さらに、撮影側筐体１の上面には、画像の配信又はリモートメンテナンス等のように外部機器と通信する場合に使用するＬＡＮ（Local Area Network）ケーブル差込口（図示せず）、内部の熱を逃がすための通気ファン３１が備えられている。通気ファン３１は、撮影側筐体１内部の熱を逃がす目的で備えられるものであり、その設置位置は、撮影側筐体１の上面に限定されるものではなく、熱が発生しやすい機器の近傍などに備えられてもよく、また複数備えられてもよいことは言うまでもない。また、ＬＡＮケーブル差込口が備えられる位置も、ＬＡＮケーブルの配線の引き回しが容易な位置であれば撮影側筐体１の上面に限定されないことはもちろんである。
【００６８】
図５は編集側筐体の外観を示す斜視図である。編集側筐体２は、撮影側筐体１の背面に配設されており、画像の編集を受け付ける編集筐体７と、後述する編集側コンピュータ装置１０１ｂ及びプリンタ１２等の各種機器を納めた印刷筐体８とから構成される。
【００６９】
編集筐体７には、撮影により得られた画像を表示し、画像の編集を受け付ける操作ディスプレイ１３と、編集入力（いわゆる「お絵描き」）を行なうためのタッチペン１４とが備えられている。なお、撮影側筐体１の編集空間４に面した側の面、すなわち撮影側筐体１の背面には、編集空間４を照明するための照明部１８ｄと、使用者６（正確には編集プレイを行なう使用者）に対して音楽及び操作方法の説明などを音声で出力する編集側スピーカ２３ｃとが配設されている。
【００７０】
さらに詳述すると、タッチペン１４は、ペン形状の入力装置であって、操作ディスプレイ１３にタッチすることで、背景、スタンプ、フレーム等の画像及び文字の入力、使用する項目（ボタン）の選択、並びに操作の選択などを入力することができる。なお、タッチペン１４は、１本であってもよいし、複数の使用者から同時に入力操作を受け付けることができるように、複数本を備えていてもよい。
【００７１】
一方、印刷筐体８の内部にはプリンタ１２（図示せず）が備えられている。プリンタ１２は、撮影及び編集された画像を紙、シール、金属、又はプラスチックなどの画像形成媒体に印刷するためのプリンタであって、昇華型プリンタ、サーモオートクローム方式（光定着型直接感熱印刷方式）等のプリンタが一般的に用いられる。なお、以下、プリンタ１２によってシールが印刷されるものとして説明を行なうが、画像形成媒体はシールに限定されず、上述した他の画像形成媒体であってもよい。また、化学反応を利用した写真プリントであってもよいことはもちろんである。
【００７２】
また、印刷筐体８の側面には、箱型の形状を有するプリント取出口９と、プリント取出口９の近傍に印刷報知ＬＥＤ（Light Emitting Diode）１０及び印刷エラー報知ＬＥＤ１１とが備えられている。
【００７３】
プリント取出口９はプリンタ１２から出力された写真の取り出し口であり、プリンタ１２から出力された写真が、このプリント取出口９へ排出される。なお、プリント取出口９は、排出された写真が、使用者６が手にするまで地面に落下しないような構成及び形状を有していれば、その形状は限定されるものではない。例えば、印刷筐体８の内部方向に窪んだ箱状の空間と印刷筐体８の側面に沿う方向に取り付けられた蓋とから構成されていてもよい。
【００７４】
印刷報知ＬＥＤ１０は、点灯又は点滅することによって印刷中であることを使用者６等に報知するものであり、印刷エラー報知ＬＥＤ１１は、点灯又は点滅することによって用紙切れ、インク切れ、用紙詰り、メカニカルエラーなどのエラーが発生していることを報知するものである。
【００７５】
このように、編集筐体７と印刷筐体８とを別体にしたことにより、管理者（設置者）の意図及びスペースの都合によって編集筐体７と印刷筐体８とを個別かつ自由に配置できる。例えば、店舗によっては写真自動販売機１００を狭いスペースに配置せざるを得ない場合があり、編集筐体７と印刷筐体８との配置関係が固定されている場合には、プリント取出口９の位置が一方の側面に限定されるために配置が困難になる虞があるが、管理者の意図及びスペースに合わせて印刷筐体８を所望する位置に配置することができる。もちろん、編集側筐体２は、編集筐体７と印刷筐体８とに分かれている形態を示したが、これに限定されるものではなく、同じ筐体で編集機能と印刷機能の両方の役割を果たす構成であってもよいことはいうまでもない。
【００７６】
編集筐体７及び印刷筐体８の側面又は下面には、ケーブル及び配線などを通すための孔（図示せず）があけられている。この孔は、各筐体の設置場所の都合により、その孔を使用しない場合、又はプレイ中に使用者６から視認される位置にある場合のことを考慮して開閉可能にしておけば、見た目の印象が悪化する虞はない。また、印刷筐体８の上面は平坦な形状を有しており、使用者６の荷物置場などに使用できる。
【００７７】
図６は本発明に係る写真自動販売機の構成の一例を示すブロック図である。写真自動販売機１００は、主として撮影側の機器と編集側の機器とから構成されており、それぞれが連携して写真自動販売機として機能する。写真自動販売機１００は、撮影側の機器を動作させるためのコンピュータ装置である撮影側コンピュータ装置１０１ａと、編集側の機器を動作させるためのコンピュータ装置である編集側コンピュータ装置１０１ｂとを備えており、撮影側コンピュータ装置１０１ａと編集側コンピュータ装置１０１ｂとは、相互にデータ転送ができるように直接的に接続されている。もちろん、ネットワークハブを介してＬＡＮケーブルなどにより、相互接続されているような形態であってもよい。
【００７８】
撮影側コンピュータ装置１０１ａ及び編集側コンピュータ装置１０１ｂは、各種機器の制御を行なう演算部であるＣＰＵ（Central Processing Unit）と、各機器を動作させるためのコンピュータプログラム、コンピュータプログラムにて使用する音声データ及び画像データ等を記憶する記憶部と、コンピュータプログラムの一時的な作業領域であるメモリと、周辺機器を制御するためのドライバと、ＬＡＮケーブルを介して外部機器と接続された場合に通信を行なう通信部とを備えている。記憶部に記憶する画像データとしては、被写体を撮影した画像データ、画像データに対して入力された編集用画像データなどがある。なお、各コンピュータ装置は、パーソナルコンピュータなどの汎用コンピュータ、又は、ボードコンピュータなどであって、その形態は限定されるものではない。なお、コンピュータプログラムの詳細については後述する。
【００７９】
撮影側コンピュータ装置１０１ａは撮影側の動作を制御するコンピュータプログラムが、編集側コンピュータ装置１０１ｂは編集側の動作を制御するコンピュータプログラムが、それぞれの記憶部に記憶されており、それぞれのコンピュータプログラムを読み出して実行することで、後述する撮影側の機器、編集側の機器の制御を行なう。従って、撮影側の動作、編集側の動作を並行して行なうことができる。
【００８０】
また、写真自動販売機１００は、外部電源（商用交流電源など）から電力の供給を入断する電源スイッチ２９と、写真自動販売機１００の各種機器へ電力を供給する電源制御部１０３とを備えており、電源制御部１０３は、外部から入力される電源電圧を安定させて各種機器へ供給し、また、各種機器に必要な電圧に変換する制御を行なう。電源スイッチ２９が押下されて写真自動販売機１００に電力が供給されると、撮影側コンピュータ装置１０１ａ及び編集側コンピュータ装置１０１ｂに電力が供給され、それぞれのコンピュータプログラムが自動的に起動されて写真自動販売機１００が動作可能な状態となる。
【００８１】
電源制御部１０３は、照明部１８、熱対策のために各種機器を冷却する通気ファン３１及び無停電電源装置（以下、ＵＰＳ（Uninterrupted Power Supply）という）１０４に接続されている。
【００８２】
ＵＰＳ１０４は、外部電源からの電力供給が停電などによって突発的に切断された場合においても、内蔵しているバッテリ等により各種機器へ安定的に電力を供給する機能を有している。つまり、外部電源が切断された場合、しばらくはＵＰＳ１０４が電源をバックアップし、撮影側コンピュータ装置１０１ａ及び編集側コンピュータ装置１０１ｂなどに停電信号を送信する。その間に、撮影側コンピュータ装置１０１ａ及び編集側コンピュータ装置１０１ｂはコンピュータプログラムの終了の手続きを行ない、コンピュータプログラムを正常終了させる。
【００８３】
従って、外部電源が切断された場合であっても、コンピュータプログラムが異常終了することがなくなるため、故障などの不具合の発生を防止できる。なお、電源を必要とする後述の撮影側制御部１０２ａ、編集側制御部１０２ｂ、カメラ２１ａ，２１ｂ、プリンタ１２等の他の各種機器へも、この電源制御部１０３又はＵＰＳ１０４から電源が供給されている（図示せず）。
【００８４】
まず、撮影側コンピュータ装置１０１ａによって制御される撮影側の各機器の構成及び機能について説明する。撮影側の撮影側コンピュータ装置１０１ａには、タッチパネルディスプレイ２２、カメラ２１ａ，２１ｂ、及び撮影側制御部１０２ａが接続されている。
【００８５】
タッチパネルディスプレイ２２は、ディスプレイにタッチパネルを積層し、デモ画面、実行するプレイ内容（コース）、及びプレイコースの選択肢（操作ボタン,選択ボタンの画像）等を表示するとともに、表示されている操作ボタン,選択ボタンの画像領域を、使用者６が指などで触れることにより、使用者６からの入力（指示）を受け付ける。なお、タッチパネルディスプレイ２２の替わりに、表示機能のみを有するディスプレイであってもよく、この場合には、切換ボタン、決定ボタン、キャンセルボタンなどを備えた操作部を設け、使用者６からの入力を受け付けるようにすればよい。もちろん、タッチペンでの入力受け付けが可能なタブレットディスプレイであってもよい。
【００８６】
カメラ２１ａ，２１ｂは、映像信号分配器３３に接続されており、カメラ２１ａ，２１ｂが撮影した被写体の動画データは、映像信号として映像信号分配器３３へ出力される。映像信号分配器３３はライブモニタ２４ａ，２４ｂ，２４ｃ，２４ｄに接続されており、カメラ２１ａ，２１ｂから送出された映像信号を各ライブモニタへ出力する。従って、ライブモニタ２４ａ，２４ｂ，２４ｃ，２４ｄには、被写体の映像がリアルタイムに表示される。
【００８７】
また、カメラ２１ａ，２１ｂは、ＵＳＢケーブルなどの信号線を介してフラッシュ制御部１０６に接続されており、シャッタ動作に係る制御信号を受信すると、受信した制御信号をフラッシュ制御部１０６へ転送する。フラッシュ制御部１０６は、フラッシュ２０に接続されており、転送された制御信号に同期してフラッシュ２０を発光させる。なお、同期のタイミングとしては、それ自体公知のＸ接点と呼ばれる方法等がある。そして、カメラ２１ａ，２１ｂは被写体を撮影して被写体の静止画像データを生成する。生成された静止画像データは、カメラ２１ａ，２１ｂより適宜取り出され、撮影側コンピュータ装置１０１ａの記憶部に保存される。
【００８８】
撮影側制御部１０２ａには、撮影側サービスパネル８０、撮影側スピーカ２３ａ，２３ｂ、コイン制御部１０７、及びモータ４３等が接続されている。
【００８９】
撮影側サービスパネル８０は、投入されたコインの枚数をカウントするコインカウンタ８０ａ、印刷されたプリントの枚数をカウントするプリントカウンタ８０ｂ、撮影側スピーカ２３ａ，２３ｂから出力する音声のボリュームを調整する音量調節つまみ８０ｃ、撮影側テストモードを行なうためのテストボタン８０ｄ、及び対価を受領しなくても写真自動販売機１００を使用できるようにするためのサービスボタン８０ｅ等を備えるパネルであり、写真自動販売機１００の管理者が各種設定及びメンテナンスの操作を行なう際に用いられる。なお、撮影側サービスパネル８０は、管理者用のツールであり、使用者６によって操作されることのないよう、撮影側筐体１の内部に設置されている。
【００９０】
撮影側サービスパネル８０は、テストボタン８０ｄ、サービスボタン８０ｅが押下されたことを示す通知信号を撮影側制御部１０２ａへ送出することによりテストモードが起動される。また、撮影側サービスパネル８０は、撮影側制御部１０２ａからの制御信号に基づいて、コインカウンタ８０ａ、プリントカウンタ８０ｂを動作させる（例えば、プリントカウンタ８０ｂを１インクリメントする）。さらに、撮影側コンピュータ装置１０１ａから撮影側制御部１０２ａへ出力された音声信号は、撮影側サービスパネル８０の音量調節つまみ８０ｃにて音量が調整され、撮影側スピーカ２３ａ，２３ｂへ出力される。
【００９１】
コイン制御部１０７は、コイン投入口２６に投入されたコインの正当性を検出し、コインを受領する対価受領手段として機能し、コインを受領した場合には、コインが投入されたことを示す通知信号を撮影側制御部１０２ａへ送出する。また、コイン制御部１０７は、撮影側制御部１０２ａからの制御信号に基づいて、コイン投入口２６をブロックしてコインの投入を防止したり、投入されたコインをコイン返却口２７に排出するようにして、コインの投入を受け付けないようにする機能を有している。さらに、写真自動販売機１００がコイン投入口２６に替わる対価の受付機能を備える場合（例えば、電子的に対価を受け付ける読取装置など）には、コイン制御部１０７は上述の対価の受付機能により受け付けた対価の正当性を検出して、対価を受け付けたことを示す通知信号を撮影側制御部１０２ａへ送出する。
【００９２】
モータ４３は、ベルトを介して巻取装置４１の回転軸の回転方向及び回転速度を制御するものであり、撮影側制御部１０２ａは、撮影側コンピュータ装置１０１ａに制御されて、モータ４３に電力（電流）を供給することにより、その電流の極性及び電流値を制御することにより、サイドカーテン４２を巻取装置４１から繰り出し、撮影空間３を閉状態にしたり、サイドカーテン４２を巻取装置４１から巻き取り、撮影空間３を開状態にする。
【００９３】
次に、編集側コンピュータ装置１０１ｂによって制御される編集側の各機器の構成及び機能について説明する。編集側の編集側コンピュータ装置１０１ｂには、タッチペン１４の入力を受け付ける操作ディスプレイ１３、プリンタ１２、及び編集側制御部１０２ｂが接続されている。
【００９４】
操作ディスプレイ１３は、カメラ２１ａ，２１ｂによって撮影された画像及び編集用画像などを、編集側コンピュータ装置１０１ｂのコンピュータプログラムから指示された内容で出力して表示するとともに、タッチペン１４による入力を受け付ける機能を有する。つまり、タッチペン１４でタッチされた位置を検出し、検出された位置に応じた指示信号を編集側コンピュータ装置１０１ｂへ送出する機能を有する。
【００９５】
プリンタ１２は、撮影された画像をシールなどの画像形成媒体に印刷するともに、プリンタ１２の状態を編集側コンピュータ装置１０１ｂへ通知する。編集側コンピュータ装置１０１ｂはその状態に応じて編集側制御部１０２ｂに信号を送出する。
【００９６】
編集側制御部１０２ｂには、編集側サービスパネル９０、編集側スピーカ２３ｃ、印刷報知ＬＥＤ１０、及び印刷エラー報知ＬＥＤ１１等が接続されている。
【００９７】
編集側サービスパネル９０は、編集側スピーカ２３ｃから出力する音声のボリュームを調整する音量調節つまみ９０ａ、編集側テストモードを行なうためのテストボタン９０ｂ等を備えるパネルであり、写真自動販売機１００の管理者が各種設定及びメンテナンスの操作を行なう際に用いられる。なお、編集側サービスパネル９０は、管理者用のツールであり、使用者６によって操作されることのないよう、編集側筐体２の内部に設置されている。
【００９８】
編集側サービスパネル９０は、テストボタン９０ｂが押下されたことを示す通知信号を編集側制御部１０２ｂへ送出することによりテストモードが起動される。また、編集側コンピュータ装置１０１ｂから編集側制御部１０２ｂへ出力された音声信号は、編集側サービスパネル９０の音量調節つまみ９０ａにて音量が調整され、編集側スピーカ２３ｃへ出力される。さらに、編集側制御部１０２ｂは編集側コンピュータ装置１０１ｂから入力された信号に基づいて、印刷報知ＬＥＤ１０,印刷エラー報知ＬＥＤ１１を点灯又は点滅させる。
【００９９】
次に、本発明に係る写真自動販売機１００の処理手順について説明する。本発明に係る写真自動販売機１００は、大別して、撮影操作に係る処理と、編集操作に係る処理とに分けられる。これらの処理は、それぞれのコンピュータ装置のＣＰＵが、記憶装置に記憶される各々のコンピュータプログラム（撮影操作側のプログラム，編集操作側のプログラム）をメモリに読出して並行的に実行することにより、撮影側、編集側で同時にプレイすることが可能になる。つまり、撮影プレイを終了した使用者は、編集空間４へ移動して編集プレイを行ない、次の使用者は、撮影空間３に入って撮影プレイを行なうことができる、すなわち撮影プレイと編集プレイとを並行して行なえるため、顧客回転率が向上する。
【０１００】
図７は本発明に係る写真自動販売機における撮影操作側の動作フローの概要を示すフローチャートである。
【０１０１】
まず、電源スイッチ２９が投入されると、各種機器に電力が供給され、撮影側コンピュータ装置１０１ａは、写真自動販売機１００の使用を促す旨のデモ画面をタッチパネルディスプレイ２２に表示する（Ｓ１）。なお、デモ音声を撮影側スピーカ２３ａ，２３ｂから出力するようにして、視覚のみならず聴覚に訴えるようにしてもよい。
【０１０２】
そして、デモ画面が表示されている状態では、撮影側コンピュータ装置１０１ａは、撮影側サービスパネル８０のテストボタン８０ｄの押下を監視する（Ｓ２）。テストボタン８０ｄが写真自動販売機１００の管理者（設置者）などによって押下される（Ｓ２：ＹＥＳ）と、写真自動販売機１００に係る各種機器の設定を受け付けるとともに、受け付けた設定で各種機器が動作するか否かをチェックするテストモードが起動される（Ｓ３）。
【０１０３】
テストモードは、写真自動販売機１００の各種設定の登録及び動作チェックを行なうための管理者用のモードであり、このモードでは、写真自動販売機１００の使用状況（例えばコイン投入数など）の確認、カメラ２１ａ,２１ｂ、プリンタ１２、サイドカーテン４２等の各種機器の調整を行なうことができる。そして、管理者（設置者）などによって、各種設定及び動作チェックがなされると、テストモードを終了してＳ１へ移行し、デモ画面を再表示する。なお、テストモードの詳細については後述することにする。
【０１０４】
また、デモ画面が表示されている状態では、撮影側コンピュータ装置１０１ａは、コイン制御部１０７と協業して対価の受領（所定枚数の硬貨の投入など）を監視しており（Ｓ４）、テストボタン８０ｄが押下されず（Ｓ２：ＮＯ）、使用者６により対価を受領する（Ｓ４：ＹＥＳ）と、モータ４３を制御してサイドカーテン４２を巻取装置４１から繰り出し、撮影空間３を閉状態にする（Ｓ５）。撮影側コンピュータ装置１０１ａは、コイン制御部１０７と協業して撮影空間３が使用されているか否かを判定する判定手段として機能してもよい。なお、撮影空間３が使用されているか否かを判定する対価の受領は、１プレイ相当の対価の受領が完了してからであるが、これに限定されるものではなく、例えば硬貨などで対価を受領する場合、１コインが投入された時点で判定しても構わない。
【０１０５】
より具体的には、使用者６により対価を受領すると、撮影側コンピュータ装置１０１ａは、サイドカーテン４２を繰り出すことを示す制御信号を生成して撮影側制御部１０２ａへ出力し、撮影側制御部１０２ａは、モータ４３に電力（電流）を供給することにより、サイドカーテン４２を巻取装置４１から繰り出し、撮影空間３を閉状態にする。
【０１０６】
また、コイン制御部１０７は検出信号を撮影側制御部１０２ａへ出力し、撮影側制御部１０２ａは、コイン制御部１０７から検出信号を受け取ると、記憶部に記憶された各種ガイダンス（案内）に係る画像データ及びサウンドデータを読み出し、グラフィックＩ／Ｆ回路（図示せず）及びサウンドＩ／Ｆ回路（図示せず）へ出力する。
【０１０７】
グラフィックＩ／Ｆ回路は、撮影側制御部１０２ａから出力された画像データを信号処理し、映像信号に変換してタッチパネルディスプレイ２２へ出力し、タッチパネルディスプレイ２２に各種案内の映像を表示する。サウンドＩ／Ｆ回路は、撮影側制御部１０２ａから出力された音声データを信号処理し、音声信号に変換して撮影側スピーカ２３ａ，２３ｂへ出力し、撮影側スピーカ２３ａ，２３ｂから各種案内の音声を出力する。このようにして、使用者６に撮影方法などの案内を行なう。
【０１０８】
そして、撮影側コンピュータ装置１０１ａは、アンケート画面をタッチパネルディスプレイ２２に表示し、使用者６及び撮影に関するアンケート情報を受け付ける（Ｓ６）。使用者６は、タッチパネルディスプレイ２２に表示されたアンケート画面に従って、画面上の該当する選択領域を指などでタッチして所望の情報を選択して情報を確定する。アンケート情報は、例えば、撮影人数、好みの画質、髪の色、服装、肌の色、撮影したいシチュエーション、所望の背景、及び男女比などの情報のことである。
【０１０９】
撮影側コンピュータ装置１０１ａは、撮影側制御部１０２ａを介して、タッチパネルディスプレイ２２にて受け付けたアンケート情報に基づいて制御信号を照明部１８及びカメラ２１へ出力し、照明部１８及びカメラ２１の設定を変更する。従って、照明部１８及びカメラ２１は、使用者６が所望するアンケート情報に応じた好適な設定がなされるため、使用者が所望する撮影を実現できる。
【０１１０】
なお、Ｓ６におけるアンケート情報の受け付けは、規定時間内で行なうように予め設定されており、受け付け可能な残り時間がアンケート画面に表示されており、残り時間がなくなると、その時点で選択されている選択肢に決定され、自動的に次の処理へ移行する。もちろん、アンケート情報の受け付けは、１回のプレイにおける全ての撮影についての選択であってもよいし、各撮影についての選択であって各撮影毎に行なってもよい。アンケート情報の受け付けを各撮影毎に行なうことにより、１回のプレイで異なった印象（タイプ）の写真を得ることができ、使用者６の満足度を向上することができる。以下の説明においても、特に説明しない限り、残り時間の表示は同様のものとする。
【０１１１】
アンケート情報の受け付けが完了すると、被写体（使用者６）をカメラ２１で撮影する処理（Ｓ７）へ移行する。撮影側コンピュータ装置１０１ａは、カメラ２１が取得する撮影画像を、ライブモニタ２４にリアルタイムに表示しており、使用者６は、ライブモニタ２４に表示される画像を見ながら、好みの表情及びポーズをとることができる。なお、ここではカメラ２１が取得した画像をそのままライブモニタ２４に表示してもよいし、左右反転処理して表示してもよい。左右反転処理して表示した場合、使用者６を鏡に写した状態のものと同じ映像がライブモニタ２４に表示されるため、使用者６は、ライブモニタ２４を見ながら好みの表情及びポーズをとることが容易になる。
【０１１２】
撮影側コンピュータ装置１０１ａは、撮影信号をカメラ２１へ送信し、カメラ２１がその撮影信号に同期してシャッタを切ることで、カメラ２１から撮影側コンピュータ装置１０１ａの記憶部に静止画像が取り込まれる。なお、各照明装置に設けたフラッシュ２０にも撮影信号が出力され、シャッタに同期して閃光されることはいうまでもない。
【０１１３】
撮影のタイミングは、撮影側コンピュータ装置１０１ａがコンピュータプログラムに基づいて自動的に撮影信号をカメラ２１へ送信し、時間経過と共に「３、２、１」などのカウントダウンをタッチパネルディスプレイ２２又は撮影用スピーカ２３ａ，２３ｂへ出力して使用者６に報知してもよい。又は、撮影画面を見ながら任意のタイミングで使用者６がタッチパネルディスプレイ２２の撮影ボタンにタッチすることで、撮影側コンピュータ装置１０１ａがそのタッチに同期して撮影信号をカメラ２１へ送信してもよい。なお、シャッタ動作のタイミングに同期して、タッチパネルディスプレイ２２の画面は白色に変わるようにする。タッチパネルディスプレイ２２は、カメラ２１の下側の、使用者６の正面に配置されているため、正面部分が白色に変わることによってハイキーな画像が得られる。
【０１１４】
そして、撮影側コンピュータ装置１０１ａは、規定回数の撮影が終了しているか否かを判定する（Ｓ８）。Ｓ８にて規定回数の撮影が終了していないと判定された場合（Ｓ８：ＮＯ）は、ステップＳ７へ移行して撮影処理を繰返す。
【０１１５】
一方、規定回数の撮影が終了していると判定された場合（Ｓ８：ＹＥＳ）は、写真選択画面をタッチパネルディスプレイ２２に表示し、使用者６は表示された写真選択画面上の選択領域にタッチすることにより、撮影した画像の中から後述する編集処理で用いる写真を規定枚数（例えば４枚）選択してキープ画像とする（Ｓ９）。より具体的には、撮影した画像のサムネイルをタッチパネルディスプレイ２２に表示させ、表示された画像の中から、使用者６が所望する画像をタッチしてキープ画像を選択する。
【０１１６】
そして、「編集側に移動してください」などの案内をタッチパネルディスプレイ２２に表示し、使用者６を編集操作側（編集空間４）へ移動するように促す。このとき、他の使用者が編集空間４で編集プレイをしているなど、編集空間４にて直ちに編集プレイを行なうことが不可能な場合は、撮影処理を終了する前にミニゲームをタッチパネルディスプレイ２２上で行なうことが好ましい。例えば、ミニゲームで使用者６が勝利した場合に撮影回数を追加するなどすれば、遊戯性がさらに高まり、顧客満足度が向上する。もちろん、ミニゲームに限定されず、案内表示、「お絵描き」などの操作ヘルプ表示など使用者の待ち時間を退屈させないようにすることが好ましい。
【０１１７】
Ｓ９にてキープ画像の選択が終了すると、すなわち、撮影空間３での撮影プレイが終了すると、撮影側コンピュータ装置１０１ａは、サイドカーテン４２を巻き取ることを示す制御信号を生成して撮影側制御部１０２ａへ出力し、撮影側制御部１０２ａは、モータ４３に電力（Ｓ５とは極性の異なる電流）を供給することにより、サイドカーテン４２を巻取装置４１から巻き取り、撮影空間３を開状態にする（Ｓ１０）。
【０１１８】
撮影空間３での撮影処理が終了し、サイドカーテン４２の収納が終了し、撮影操作側から編集操作側へ処理が移行すると、「編集側（編集空間４）に移動してください」などの案内表示を表示してＳ１へ移行する。すなわち、再びタッチパネルディスプレイ２２にデモ画面を表示して次の使用者による撮影に待機する。また、撮影側コンピュータ装置１０１ａは、Ｓ９にて得られたキープ画像を編集側コンピュータ装置１０１ｂへ送信する。
【０１１９】
ここで、本発明に係るテストモードについて、図８及び図９を参照して説明する。図８はテストモードにおけるサイドカーテンの動作設定に係る表示画面の一例を示す模式図である。タッチパネルディスプレイ２２に表示されている「サイドカーテンの動作速度」に係る上ボタン２２ａをタッチすると、サイドカーテンの動作時における設定速度がタッチの回数に応じで１ｃｍ／秒刻みで増分され、下ボタン２２ｂをタッチすると、同設定速度がタッチの回数に応じで１ｃｍ／秒刻みで減分される。
【０１２０】
また、「サイドカーテンの初期位置（上部から）」に係る上ボタン２２ｃをタッチすると、サイドカーテン４２の初期位置の設定値がタッチの回数に応じて１ｃｍ刻みで増分され、下ボタン２２ｄをタッチすると、同設定値がタッチの回数に応じて１ｃｍ刻みで減分される。サイドカーテン４２の初期位置とは、巻取装置４１がサイドカーテン４２の巻き取り動作を完了したときのサイドカーテン４２の下端と巻取装置４１との距離のことである（図３（ａ）参照：矢印Ｚ１）。
【０１２１】
さらに、「サイドカーテンの終端位置（上部から）」に係る上ボタン２２ｅをタッチすると、サイドカーテン４２の終端位置の設定値がタッチの回数に応じて１ｃｍ刻みで増分され、下ボタン２２ｆをタッチすると、同設定値がタッチの回数に応じて１ｃｍ刻みで減分される。サイドカーテン４２の終端位置とは、巻取装置４１がサイドカーテン４２の繰り出し動作を完了したときのサイドカーテン４２の下端と巻取装置４１との距離のことである（図３（ｂ）参照：矢印Ｚ２）。
【０１２２】
さらにまた、右側サイドカーテン４２ａに係る有効ボタン２２ｇをタッチすると、右側のサイドカーテン４２ａが動作するように設定され、右側サイドカーテン４２ａに係る無効ボタン２２ｈをタッチすると、右側サイドカーテン４２ａが動作しないように設定される。左側サイドカーテン４２ｂに係る有効ボタン２２ｉ及び無効ボタン２２ｊも同様の機能をなす。どちらのサイドカーテン４２ａ，４２ｂもボタンが有効である場合に、動作速度、初期位置、終端位置の設定が有効になる。また、それぞれのサイドカーテン４２ａ，４２ｂに対して別個に、動作速度、初期位置、終端位置などが設定できるようにしてもよい。なお、「メニューに戻る」ボタン２２ｋをタッチすると、テストモードのメニュー画面に戻ることができる。
【０１２３】
設定された内容は、撮影側コンピュータ装置１０１ａの記憶部に記憶され、設定した後にサイドカーテン４２を動作する時に読み出され、撮影側制御部１０２ａに指示することにより、サイドカーテン４２は設定された内容に基づいて駆動する。つまり、サイドカーテン４２の開状態、閉状態、又はそれぞれの状態に変化する際の速度を設定する設定手段として機能する。
【０１２４】
このように、サイドカーテン４２の初期位置（開状態）、終端位置（閉状態）、繰り出し及び巻き取り動作の速度の設定、並びに、各側面のサイドカーテンをそれぞれ有効にするか、無効にするかの設定ができるので、写真自動販売機１００を設置する場所、管理者（設置者）の要望に対応した設定ができる。写真自動販売機１００は店舗事情により、撮影空間３の一方の側面のみから出入りするように使う場合があるので、管理者の意図及び設置場所に応じてサイドカーテン４２の有効／無効を設定できるようにすることが好ましい。なお、設定項目は、上述した項目に限定されるものではなく、サイドカーテン４２が開閉する際に撮影側スピーカ２３ａ，２３ｂから出力する音声の設定などが行なえるようにしてもよい。
【０１２５】
図９はテストモードにおけるサイドカーテンの動作チェックに係る表示画面の一例を示す模式図である。タッチパネルディスプレイ２２に表示されている「右側サイドカーテンを閉める」ボタン２２ｍをタッチすると、撮影側コンピュータ装置１０１aは、そのタッチに応じた制御信号を撮影側制御部１０２ａへ送信し、撮影側制御部１０２aは、送信された制御信号に基づいてモータ４３ａを駆動させ、巻取装置４１ａによって右側のサイドカーテン４２ａを前述した終端位置まで繰り出して撮影空間３を閉状態にする。
【０１２６】
また、「右側サイドカーテンを開く」ボタン２２ｎをタッチすると、撮影側コンピュータ装置１０１aは、そのタッチに応じた制御信号を撮影側制御部１０２ａへ送信し、撮影側制御部１０２aは、送信された制御信号に基づいてモータ４３ａを駆動させ、巻取装置４１ａによって右側のサイドカーテン４２ａを前述した初期位置まで巻き取って撮影空間３を開状態にする。
【０１２７】
同様に、「左側サイドカーテンを閉める」ボタン２２ｐ、「左側サイドカーテンを開く」ボタン２２ｑをタッチすると、左側のサイドカーテン４２ｂがタッチに対応した動作を行ない、撮影空間３を閉状態又は開状態にする。なお、「メニューに戻る」ボタン２２ｒをタッチすると、テストモードのメニュー画面に戻ることができる。
【０１２８】
このように、テストモードを実行することによって、サイドカーテン４２の動作チェックを行ない、サイドカーテン４２の動作、並びに終端位置及び初期位置に異常がないか否かを確認することができる。従って、写真自動販売機１００の管理者は、例えば、電源スイッチ２９の投入時に、テストモードを活用して動作チェックを行なうようにすれば、不具合を早期に発見することができる。なお、通常、写真自動販売機１００を設置したときに、管理者によってサイドカーテン４２の設定が行なわれ、設定値が変更されることは稀である。従って、図７のフローチャートには図示されないが、電源スイッチ２９が投入された際、現在のサイドカーテン４２の設定内容を確認できるように動作チェックを自動的に行なうようにすれば、電源投入時にサイドカーテン４２の動作、並びに終端位置及び初期位置に異常がないか否かを忘れることなく必ず確認することができる。
【０１２９】
図１０は本発明に係る写真自動販売機における編集操作側の動作フローの概要を示すフローチャートである。
【０１３０】
まず、電源スイッチ２９が投入されると、各種機器の電力が供給され、編集を行なうべき画像（キープ画像）が編集側コンピュータ装置１０１ｂに存在しない場合は、撮影を先に行なう旨の待機画面が操作ディスプレイ１３に表示される（Ｓ２１）。
【０１３１】
Ｓ９にて選択されたキープ画像が、撮影側コンピュータ装置１０１ａから送信されると、編集側コンピュータ装置１０１ｂは、明るさ調整画面を操作ディスプレイ１３に表示し、キープ画像の明るさ調整の選択を使用者６から受け付ける（Ｓ２２）。ここで、明るさ調整とは、画像の明るさのみならず、写真自動販売機特有の肌色補正などの画像に係る色調（彩度、濃度、色合いなど）を調整することであり、使用者６は、タッチペン１４を用いて撮影された画像を所望の色調の画像に調整する。
【０１３２】
明るさ調整画面には、キープ画像と、キープ画像の明るさ調整の操作を行なうための複数の調整用ボタンとが表示されており、使用者６が各調整用ボタンを操作することにより、キープ画像の色調が調整され、明るさ調整画面に表示されるキープ画像に反映される。なお、明るさ調整の画像処理には時間がかかることがあるため、明るさ調整画面の表示に先だって、各調整用ボタンに対応した画像処理が施された画像を予め作成しておき、メモリに記憶させておくことが好ましく、使用者６がボタンを押下してから画像が切替わるまでの時間を短縮して、操作性を向上させることができる。また、明るさ調整は、撮影操作側での操作によって、Ｓ６のアンケート選択の際に実行されてもよい。
【０１３３】
次いで、編集側コンピュータ装置１０１ｂは、編集画面を操作ディスプレイ１３に表示し、キープ画像に対して編集用画像を入力する編集入力（「お絵描き」入力）を使用者６から受け付ける（Ｓ２３）。編集画面には、Ｓ２１にて明るさ調整が施されたキープ画像と、編集用画像を入力するために用いられる機能ボタン（ツール）とが表示されている。機能ボタンには、ペン、スタンプ、背景、色、線種、及び柄等の各種のツールが用意されており、使用者６は、それら機能ボタン中から所望するツールをタッチペン１４で選択し、選択したツールを用いて任意の画像、及び文字等の編集用画像を入力する。なお、編集用画像の入力の受け付けは、所定の制限時間に達するまで行なうことができる。
【０１３４】
編集側コンピュータ装置１０１ｂは、Ｓ２２にて明るさ調整が施されたキープ画像とＳ２３にて受け付けた編集用画像とをメモリ上の別のレイヤに展開し、各レイヤを重ねた画像（合成画像）を操作ディスプレイ１３に表示する（Ｓ２４）。なお、各レイヤの内のいずれを上位レイヤにするかは用途により異なるが、例えば、編集用画像をキープ画像の前景画像とする場合には編集用画像が上位レイヤとなり、編集用画像をキープ画像の背景画像とする場合には編集用画像が下位レイヤとなる。更に、編集用画像は、スタンプ画像のレイヤ、フレーム画像のレイヤなど、機能別に分けられた複数のレイヤで構成されていてもよく、複数のレイヤの内のいずれかを変更したい場合には、対応するレイヤのみを変更すればよいため、「ひとつもどる」、「ひとつすすむ」、及び「はじめから」などの編集過程のコントロールを容易に実現できる。
【０１３５】
そして、編集側コンピュータ装置１０１ｂは、印刷対象画像のサイズと配置との組合せを示すシールレイアウトの選択画面を操作ディスプレイ１３に表示し、所望のシールレイアウトの選択を使用者６から受け付ける（Ｓ２５）。選択画面には、画像がレイアウトされた複数のレイアウト例が表示されており、使用者６は所望のシールレイアウトをタッチペン１４で選択する。編集側コンピュータ装置１０１ｂは、受け付けたシールレイアウトに基づいて、キープ画像と編集用画像とを合成し、合成した画像に係る印刷信号をプリンタ１２へ送信する。
【０１３６】
そして、プリンタ１２は、所定の画像形成媒体の表面に画像を印刷し、印刷した画像形成媒体をプリント取出口９から排出する（Ｓ２６）。なお、プリント取出口９が本例のように印刷筐体８の側面側にある場合、すなわち、編集空間４の外側にある場合は、印刷を開始するタイミングに同期して、「印刷中です。プリントは横から出ます。外に出て待ってね。」などの案内を操作ディスプレイ１３に表示することが好ましい。そして、Ｓ２１に移行し、待機画面を操作ディスプレイ１３に表示して次の使用者が使用するまで待機する。
【０１３７】
なお、本実施の形態では、撮影側の処理と編集側の処理とに分けられており、それぞれの処理を独立並行して行なうことを可能としているが、これに限定されるものではなく、撮影処理及び編集処理を１つの空間で連続して順次行なわれるような形態であってもよい。
【０１３８】
また、本実施の形態では、写真自動販売機１００が２台のコンピュータ装置（１０１ａ,１０１ｂ）を備え、撮影側コンピュータ装置１０１ａ及び編集側コンピュータ装置１０１ｂのＣＰＵがそれぞれのコンピュータプログラムを実行することによって処理を並行して行なうものとしたが、写真自動販売機１００が備えるコンピュータ装置の台数は２台に限定されるものではなく、撮影側及び編集側の処理を１台のコンピュータ装置で制御してもよいし、２台以上のコンピュータ装置で処理を分散して制御してもよい。
【０１３９】
ところで、本発明に係るコンピュータプログラムは、前述したように撮影側コンピュータ装置１０１ａに内蔵する記憶部に記憶されている。このコンピュータプログラムは、サイドカーテン４２の制御を行なわせるコンピュータプログラムであって、「サイドカーテン４２へ制御信号を送信することによって、撮影空間３を開状態又は閉状態にする手順」を含む。もちろん、「コイン制御部１０７から出力される通知信号に基づいて、撮影空間３が使用されているか否かを判定させる判定手順」を付加することにより、撮影側コンピュータ装置１０１ａを判定手段として機能させてもよい。
【０１４０】
なお、コンピュータに内蔵するハードディスクなどの記録部にコンピュータプログラムを記録させた場合について説明したが、コンピュータに付属するフレキシブルディスク、ＣＤ−ＲＯＭ（Compact Disc-Read Only Memory）、ＲＯＭ（Read Only Memory）、ＲＡＭ（Random Access Memory）及びメモリカードなどのコンピュータにて読取り可能な記録媒体に記録させて、コンピュータプログラム製品として提供することもでき、提供されるコンピュータプログラム製品は、ハードディスクなどの記憶部にインストールされて実行される。また、電気通信回線や衛星通信回線などのネットワークを通じて、コンピュータプログラムを提供することもできることはもちろんである。なお、コンピュータプログラム製品は、コンピュータプログラム自体と、コンピュータプログラムが記録された記録媒体とを含む。
【０１４１】
なお、他の実施形態として、プレイ中以外はサイドカーテン４２が閉められないようにロックしておき、対価を検出するとサイドカーテン４２のロックが解除されるようにし、プレイ中は使用者６がサイドカーテン４２を自己の意思により手動で動かし、撮影空間３を開状態又は閉状態のいずれの状態にもできる状態にさせてもよい。このように、使用者６が手動でサイドカーテン４２を動かせるようにしておけば、緊急の事態が生じた場合に、使用者６はサイドカーテン４２を容易に開けられるため、安全上の観点から見て好ましい。なお、手動で動かせる場合は、音声で「サイドカーテンを閉めてね」と報知したり、サイドカーテン４２を閉めるように促す案内をタッチパネルディスプイレイ２２などに表示してもよい。また、使用者６が手動でサイドカーテン４２を動かせるようにしたとしても、プレイ終了時にはサイドカーテン４２が自動的に巻き取られ、撮影空間３を開状態にすることが好ましい。さらに、テストモードにおけるサイドカーテン４２の設定にて、サイドカーテン４２が自動で動くようにするか、又は手動で動くようにするかを、管理者の意図によって設定できるようにしておいてもよい。
【０１４２】
また、サイドカーテン４２が動作している場合には、サイドカーテン４２が開状態から閉状態に変化する場合、又は閉状態から開状態に変化する場合に、その旨を報知する報知手段を設けたほうが、使用者６及び第３者に注意を促すことができるため、安全性の観点から見て好ましい。例えば、音声などで「カーテンが閉まります」などの案内が流れるようにして、使用者６等にその旨を報知して注意を促すようにすればよい。もちろん、ＬＥＤランプなどを設け、点灯又は点滅するようにして使用者６に報知する形態であってもよい。また、無理に使用者がサイドカーテン４２を閉じようとしたときなど、「今は閉じられないよ」などの案内が流れるようにしてもよい。
【０１４３】
さらに、図１１に示すように、使用者６がサイドカーテン４２に接触する虞のある領域に、その領域の足元を進入禁止領域４５として表示しておいたり、サイドカーテン４２の動作中に使用者６が進入禁止領域４５に進入した場合、その進入を赤外線センサなどで検知して、音声などで報知するとともに、サイドカーテン４２の動作を一時停止するようにしてもよい。
【０１４４】
さらに、店舗事情により壁などに密着させて写真自動販売機を設置する場合があるので、サイドカーテン４２は撮影側筐体１に着脱できるようにしておくことが好ましい。このようにすれば、撮影空間３の一方の側面を壁に密着させて設置する場合は、壁側のサイドカーテン４２は不要であるため、そのサイドカーテン４２を取り外すことで、サイドカーテン４２の出っ張りがなくなり、空間を有効的に活用することができる。また、サイドカーテン４２の一方のみ、手動式の従来型のサイドカーテンを利用するようにしてもよい。
【０１４５】
さらに、撮影プレイ終了時にサイドカーテン４２を開けるようにしたが、上述のように撮影と編集とを同じ空間で行なう場合は、撮影プレイ終了時ではなく、編集プレイ終了時にサイドカーテン４２を開けるようにするなど、サイドカーテン４２を開けるタイミングは、設計開発時に適宜決定すればよい。もちろん、テストモードにおけるサイドカーテン４２の設定にて、サイドカーテン４２を開けるタイミングを、管理者によって設定できるようにしておいてもよい。
【０１４６】
さらに、サイドカーテン４２が、巻き取り・繰り出し式のロールスクリーンであり、巻取装置によって撮影空間３を閉状態又は開状態にする形態について説明したが、サイドカーテン４２は、撮影プレイ中に撮影空間３を閉状態にし、それ以外は撮影空間３を開状態にするものであれば、ロールスクリーンに限定されるものではなく、図１２に示すように、左右（水平）方向にスライドして撮影空間３を閉状態又開状態にする方式でもよい。また、サイドカーテン４２を折りたたんだりするような方式（アコーディオン方式）、又は、撮影側筐体１の上面（天井）に格納したりするような方式でもよい。サイドカーテン４２の素材は、布、ビニールなど、撮影空間３を遮蔽し内部のプライバシーの保護と遮光ができ、かつ内部の状況が確認できるものであればその形状は問わない。左右（水平）方向にスライドする方式である場合には引き戸のようなドアであってもよいことはもちろんである。
【０１４７】
さらにまた、写真自動販売機は撮影空間３と編集空間４とに分かれて構成され、写真自動販売機の筐体はそれぞれの筐体に分かれて構成されている形態を示したが、これに限定されるものではなく、撮影空間３と編集空間４とが同一、すなわち共用スペースで撮影プレイ及び編集プレイが順次行なわれてもよいし、撮影側筐体１と編集側筐体２とが同一、すなわち、一つの筐体に各種機器が格納されていてもよい。その場合には、撮影及び編集共用の空間を生じせしめるカーテンに、本機能を有するようにしてもよい。
【図面の簡単な説明】
【０１４８】
【図１】本発明に係る写真自動販売機の一例を示す斜視図である。
【図２】本発明に係る写真自動販売機の一例を示す背面図である。
【図３】サイドカーテンの状態を示す状態図である。
【図４】撮影側筐体の外観を示す斜視図である。
【図５】編集側筐体の外観を示す斜視図である。
【図６】本発明に係る写真自動販売機の構成の一例を示すブロック図である。
【図７】本発明に係る写真自動販売機における撮影操作側の動作フローの概要を示すフローチャートである。
【図８】テストモードにおけるサイドカーテンの動作設定に係る表示画面の一例を示す模式図である。
【図９】テストモードにおけるサイドカーテンの動作チェックに係る表示画面の一例を示す模式図である。
【図１０】本発明に係る写真自動販売機における編集操作側の動作フローの概要を示すフローチャートである。
【図１１】本発明に係る写真自動販売機の他の一例を示す斜視図である。
【図１２】本発明に係る写真自動販売機の他の一例を示す側面図である。
【符号の説明】
【０１４９】
１００  写真自動販売機
１００ａ  撮影部
１００ｂ  編集部
１０１ａ  撮影側コンピュータ装置
１０１ｂ  編集側コンピュータ装置
１０２ａ  撮影側制御部
１０２ｂ  編集側制御部
１  撮影側筐体
２  編集側筐体
３  撮影空間
４  編集空間
６  使用者
７  編集筐体
８  印刷筐体
１２  プリンタ
１８ａ，１８ｂ，１８ｃ,１８ｄ  照明部
２０  フラッシュ
２１ａ，２１ｂ  カメラ
４１ａ，４１ｂ  巻取装置
４２ａ，４２ｂ  サイドカーテン
４３ａ，４３ｂ  モータ
８０  撮影側サービスパネル
８０ｄ  テストボタン
８０ｅ  サービスボタン
【図１】
2005091937.tif 000003
【図２】
2005091937.tif 000004
【図３】
2005091937.tif 000005
【図４】
2005091937.tif 000006
【図５】
2005091937.tif 000007
【図６】
2005091937.tif 000008
【図７】
2005091937.tif 000009
【図８】
2005091937.tif 000010
【図９】
2005091937.tif 000011
【図１０】
2005091937.tif 000012
【図１１】
2005091937.tif 000013
【図１２】
2005091937.tif 000014